(57)【特許請求の範囲】
【請求項１】
仕切り板と、４面の側板、底板、及び、蓋板からなる略直方体の包装箱、を備えた仕切り箱であって、
前記仕切り板には、前記仕切り板の上端から下方に向けて少なくとも１つの切り欠き溝が形成され、
前記側板の少なくとも１つの面の上端には、回動可能に固定された略Ｌ字状のフラップを備えており、
前記フラップの先端には、前記仕切り板の上端に形成された前記切り欠き溝に挿入される挿入部を有し、
前記切り欠き溝は、前記切り欠き溝と前記仕切り板の上端の交点を通る垂線に対する角度（θ）が２〜８０°となるよう傾斜され、
さらに前記フラップは、側板と先端域の間の領域と、先端域とのなす角が鈍角となるように、前記フラップの挿入部が傾斜した状態で包装箱内に設置されることを特徴とする仕切り箱。
【請求項２】
前記切り欠き溝は、前記仕切り板の上端との交点において広口構造を有することを特徴とする請求項１に記載の仕切り箱。
【請求項３】
前記仕切り箱には、上部が下部より細い形状を有する物品が収容されることを特徴とする請求項１又は２に記載の仕切り箱。
【請求項４】
前記仕切り箱には、物品が収容されており、前記物品は、印刷面を有しており、前記仕切り板には、前記物品の印刷面と対向する領域に開口部が形成されていることを特徴とする請求項１〜３のいずれかに記載の仕切り箱。
【発明の詳細な説明】
【技術分野】
【０００１】
本発明は、仕切り板と包装箱を備えた仕切り箱に関する。さらに詳しくは、本発明は、仕切り板の枚数を減らし、かつ、簡便に組み立てることができる仕切り箱に関するものである。
【背景技術】
【０００２】
商品等を輸送するために、従来から段ボール等の包装箱が使用されている。そして、包装箱に複数の商品をまとめて梱包する場合には、商品同士の衝突による破損を防止するために、仕切り板を設けた仕切り箱を使用している。
【０００３】
一般的に使用されている仕切り箱１００を、図２０に示す。仕切り箱１００は、包装箱２００と、これに収納した仕切り板３００からなり、さらに仕切り板３００は、複数枚の仕切り板を格子形状に組み立てて形成されている。図２０に示した仕切り箱１００の例では、仕切り板３００は、二枚の縦仕切り板３０１と一枚の横仕切り板３０２からなり、格子形状に組み立てた後、包装箱２００に収容されるものである。
【０００４】
一般的に使用されている仕切り箱は、複数枚の仕切り板を組み立てる必要があるため、梱包の工程数が多くなり、作業性が悪いという課題があった。また、仕切り板の部品点数が多いため、仕切り板のコストが高くなるという課題や、仕切り板の在庫管理が煩雑になるという課題等もある。
【０００５】
一方、このような一般的な仕切り箱の課題を解決するために、仕切り板を包装箱と一体的に設けた仕切り箱が知られている。
例えば、特許文献１には、包装箱の対向する各側面板に折り曲げ線を介して底部形成片及び第一仕切片が設けられ、また、もう一つの対抗する各側面板にも同様に底部形成片及び第二仕切片が設けられた仕切り箱において、第一仕切片及び底部形成片には、第一仕切片の中途部から側面板の折り曲げ線まで溝が形成された構成が記載されている。この仕切り箱は、底部形成片と第二仕切片を直角に折り曲げ、前記溝に第二仕切片を挿入することにより、第一仕切片と第二仕切片が仕切り板を構成するものである。
【０００６】
この特許文献１に記載された仕切り箱は、包装箱と仕切り板を一体的に構成することができるが、複雑な構造となるため段ボールの加工が煩雑になるという課題がある。特に、第二仕切片を嵌合するための溝は、段ボール展開図において、穴を形成するため高度な加工が必要である。
また、第二仕切片を溝へ挿入する工程では、構造上、第二仕切片を多少湾曲させるように負荷をかける必要がある。そのため、第二仕切片の先端が折れ曲がりやすく、組み立てが困難であるという課題がある。
【先行技術文献】
【特許文献】
【０００７】
【特許文献１】実開平６−３５１１２号公報
【発明の概要】
【発明が解決しようとする課題】
【０００８】
本発明の課題は、包材の部品点数を少なくしつつ、簡素な構造の仕切り箱を提供することである。さらには、組み立てる際に、容易に組み立てることができる仕切り箱を提供することである。
【課題を解決するための手段】
【０００９】
本発明者は、上記課題について鋭意検討した結果、仕切り板と包装箱からなる仕切り箱において、仕切り板の上端に切り欠き溝を形成し、包装箱のフラップの形状を略Ｌ字状とし、フラップの先端に仕切り板の切り欠き溝に挿入する挿入部を設けることにより、部品点数が少なく簡素な構造となり、かつ、容易に組み立てることができることを見い出して本発明を完成した。
すなわち、本発明の課題を解決するための手段は、以下の仕切り箱を提供することである。
【００１０】
本発明は、仕切り板と、４面の側板、底板、及び、蓋板からなる略直方体の包装箱、を備えた仕切り箱であって、前記仕切り板には、前記仕切り板の上端から下方に向けて少なくとも１つの切り欠き溝が形成され、前記側板の少なくとも１つの面の上端には、回動可能に固定された略Ｌ字状のフラップを備えており、前記フラップの先端には、前記仕切り板の上端に形成された前記切り欠き溝に挿入される挿入部を有することを特徴とする仕切り箱である。
【００１１】
これによると、仕切り板の上端に設けられた切り欠き溝に、略Ｌ字状フラップの挿入部を挿入するだけで容易に仕切り箱を組み立てることができる。
【００１２】
さらに本発明は、前記切り欠き溝は、前記仕切り板の上端との交点において広口構造を有するという特徴を付加してもよい。
これによると、フラップの挿入部を仕切り板の切り欠き溝に挿入する際に、スムーズに挿入できるため、より簡便に仕切り箱を組み立てることができる。
【００１３】
さらに本発明は、前記切り欠き溝が、前記フラップを備えた側板の遠方方向に向けて傾斜しているという特徴を付加してもよい。
これによると、フラップの挿入部を仕切り板の切り欠き溝に挿入する際に、フラップの先端にかかる負荷が低減されるため、よりスムーズに挿入されるだけでなく、フラップの折れ曲がり等の破損が生じにくいという効果を奏する。
【００１４】
さらに本発明は、前記仕切り箱に、上部が下部より細い形状を有する物品が収容されるという特徴を付加してもよい。
これによると、傾斜した切り欠き溝を有する仕切り板を使用し、フラップを傾斜した状態で収容しても、包装箱を大きくする必要がないため、物品に最適なサイズの仕切り箱を提供することができる。
【００１５】
さらに本発明は、前記仕切り箱に、物品が収容されており、前記物品は、印刷面を有しており、前記仕切り板には、前記物品の印刷面と対向する領域に開口部が形成されているという特徴を付加してもよい。
これによると、輸送中の振動で印刷面と仕切り板が擦れないため、印刷面の擦れ汚れを防止することができる。
【発明の効果】
【００１６】
本発明によれば、包材の部品点数を少なくしつつ、容易に作成できる簡素な構造の仕切り箱を提供することができる。さらには、組み立てる際に、容易に組み立てることができる仕切り箱を提供することができる。
【図面の簡単な説明】
【００１７】
【図１】本発明の第１実施例の包装箱の展開図である。
【図２】（Ａ）本発明の第１実施例の仕切り板の構造を示す図である。（Ｂ）仕切り板の切り欠き溝の他の態様を示す図である。（Ｃ）仕切り板の切り欠き溝の傾斜角度を説明する図である。
【図３】本発明の第１実施例の仕切り箱の斜視図である。本斜視図では、仕切り箱の蓋板が開放され、物品を収容した状態を示している。
【図４】（Ａ）本発明の第１実施例の仕切り箱の６面図のうち、正面図を示したものである。仕切り箱の６面図では、仕切り箱の蓋板が開放された状態を示している。（Ｂ）本発明の第１実施例の仕切り箱の正面図において、仕切り板及び物品を収容した状態を破線で示した図である。
【図５】本発明の第１実施例の仕切り箱の６面図のうち、背面図を示したものである。
【図６】本発明の第１実施例の仕切り箱の６面図のうち、左側面図を示したものである。
【図７】本発明の第１実施例の仕切り箱の６面図のうち、右側面図を示したものである。
【図８】本発明の第１実施例の仕切り箱の６面図のうち、平面図を示したものである。
【図９】本発明の第１実施例の仕切り箱の６面図のうち、底面図を示したものである。
【図１０】本発明の実施例の物品の６面図のうち、正面図を示したものである。
【図１１】本発明の実施例の物品の６面図のうち、背面図を示したものである。
【図１２】本発明の実施例の物品の６面図のうち、左側面図を示したものである。
【図１３】本発明の実施例の物品の６面図のうち、右側面図を示したものである。
【図１４】本発明の実施例の物品の６面図のうち、平面図を示したものである。
【図１５】本発明の実施例の物品の６面図のうち、底面図を示したものである。
【図１６】本発明の第２実施例の包装箱の展開図である。
【図１７】本発明の第２実施例の仕切り板の構造を示す図である。
【図１８】本発明の第２実施例の仕切り箱の正面図において、仕切り板及び物品を収容した状態を破線で示した図である。本正面図では、仕切り箱の蓋板は閉じた状態を示している。
【図１９】本発明の第３実施例の仕切り箱の斜視図である。本斜視図では、仕切り箱の蓋板が開放され、物品を収容した状態を示している。
【図２０】従来例の仕切り箱の概略説明図である。
【発明を実施するための形態】
【００１８】
以下、図面を参照しつつ本発明に係る仕切り箱の実施形態を詳細に説明する。
【００１９】
（第１実施例）
［仕切り箱］
図１〜９は、本発明の第１実施例の仕切り箱１０を説明する図である。仕切り箱１０は、包装箱２０及び仕切り板３０を組み立てることにより構成される。
包装箱２０及び仕切り板３０の材料は、用途に応じて適宜決定され特に限定されないが、紙質、プラスチック等の板材が使用される。板材の構造としては、一枚で構成しても、段ボールのように波状の中芯の表裏を二枚のライナーで挟んだ構造としてもよい。包装箱と仕切り板の材質は、同一のものでも、異なっていてもよい。加工の容易性や強度の観点から、好ましくは紙質、段ボールである。また、包装箱と仕切り板は同一の材料であることが好ましい。
【００２０】
［包装箱］
図１には、本発明の第１実施例の包装箱２０の展開図が図示されている。本発明の第１実施例の包装箱２０は、段ボールを図１に図示した展開図に沿って切り出され、図４〜９に図示した６面図のように組み立てられる。展開図の破線は、折り曲げるための罫線である。なお、破線の構成は、折り曲げる手段であればどのような手段でもよく、段ボールの罫線でも、蝶番等の回動手段を用いてもよい。
【００２１】
包装箱２０は、側板２１ａ、２１ｂ、２１ｃ及び２１ｄからなる矩形状の筒体を、底板２２ａ、２２ｂ、２２ｃ及び２２ｄからなる底板、並びに、蓋板２３により閉塞した略直方体の箱体である。
第１実施例の包装箱２０の底板は、ワンタッチ式の構造であり、蓋板は、差し込み片２６を備えた差し込み式の構造（段ボール底ワンタッチ式  ＪＩＳ  ０７１３）である。包装箱の構造としては、いずれかの側板の上端に、内部へ折り込むフラップを備えた構造であれば、特に限定されるものではない。例えば、段ボールＡ式（ＪＩＳ  ０２０１）、段ボールＢ式（ＪＩＳ  ０２１０）、段ボール底アメリカンロック式（ＪＩＳ  ０２１５）等が挙げられる。
【００２２】
また、本発明の包装箱２０には、側板２１ｂの上端に回動可能に固定された略Ｌ字状のフラップ２４ａ、側板２１ｄの上端には同様に略Ｌ字状のフラップ２４ｂを備えている。
回動を可能とする手段としては、通常、段ボールの罫線により構成されるが、蝶番等のような回動手段を設けてもよい。
略Ｌ字状のフラップは、罫線を設けた段ボールにより構成され、フラップ２４ａ及び２５ｂの罫線より先端の領域（図１の斜線で示した領域。以下、「先端域Ｔａ」及び「先端域Ｔｂ」という。）は回動することができる。そして、先端域Ｔａ及びＴｂは、包装箱２０の内部に向けて折り曲げられている。
【００２３】
略Ｌ字状のフラップ２４ａ及び２４ｂの長さは、仕切る領域、仕切りの深さに応じて任意に設定される。
先端域Ｔａ及びＴｂの長さを調整することにより、フラップ２４ａ及び２４ｂの先端の高さ方向の位置を設定することができる。フラップ２４ａ及び２４ｂの先端の高さ方向の位置は、特に限定するものではないが、仕切り板としての機能を勘案して、収容箱の高さの９０％以下の位置が好ましく、１０％以下の位置がさらに好ましい。１０％以下の位置に設定すると、物品同士の接触による擦り傷の発生を抑制することができる。
【００２４】
略Ｌ字状のフラップ２４ａ及び２４ｂの先端は、それぞれ後述する仕切り板３０の切り欠き溝３１ａ及び３１ｂに挿入される挿入部２５ａ及び２５ｂを構成している。挿入部２５ａ及び２５ｂの形状は、仕切り板の切り込み溝に挿入できれば、どのような形状でもよい。第１実施例のように単なる板状部材からなる挿入部２５ａ及び２５ｂを切り欠き溝３１ａ及び３１ｂに挿入する構成のほか、例えば、挿入部側にもスリットを設けて、仕切り板の切り込み溝と係合する形状等がある。
フラップ２４ａ及び２４ｂは、仕切り板と略直角に交差し、仕切り板３０と共に仕切り部材として機能する。
【００２５】
略Ｌ字状のフラップの数は、仕切る領域の数に合わせて適宜設定されるものであり、第１実施例の包装箱２０のように、対向する２つの側板２１ｂ及び２１ｄの両方の上端に設けてもよいし、一方の側板の上端にのみ設けてもよい。
【００２６】
また、対向する２つの側板の一方又は両方に設けたフラップを複数に分割してもよい。例えば、複数枚の仕切り板を設置する場合には、一方の側板に設けたフラップを仕切り板の枚数と同数に分割することにより、仕切り板と分割したフラップを一枚ずつ設置することができるため、組み立て作業が容易になる。
【００２７】
［仕切り板］
図２（Ａ）には、本発明の第１実施例の仕切り板３０の構造が図示されている。仕切り板３０は、上端に切り欠き溝３１ａ、３１ｂが形成され、下端に３つの開口部３４が形成されている。
【００２８】
切り欠き溝３１ａ、３１ｂは、仕切り板の上端から下方に向けて形成された溝であり、上述した略Ｌ字状のフラップ２４ａ、２４ｂの挿入部２５ａ、２５ｂを挿入するための構成である。
切り欠き溝の数は、１又は２であり、挿入部を有する略Ｌ字状のフラップの数に合わせて設ければよい。
【００２９】
第１実施例の仕切り板３０は、切り欠き溝３１ａと仕切り板３０の上端との交点に形成された角部のうち、フラップ２４ａを備えた側板２１ｂより遠方側の角部３３ａが円弧状に形成されており、切り欠き溝３１ａは、仕切り板の上端との交点に向かって溝幅が拡大した広口構造３２ａを有している。また、切り欠き溝３１ｂも広口構造３２ａと同様に構成されている。
広口構造３２ａを設けることにより、フラップ２４ａの挿入部２５ａの挿入がスムーズとなり、仕切り箱１０の組み立てが容易になる。
【００３０】
図２（Ｂ）には、広口構造の他の態様が図示されている。広口構造とは、切り欠き溝３１ａの溝幅が、仕切り板の上端との交点において拡大した構造であればよく、例えば、図２（Ｂ）の広口構造３２ｂに図示されるように、角部の両側を切り落として拡大してもよいし、広口構造３２ｃに図示されるように、側板２１ｂより近辺側を切り落として拡大してもよい。
また、角部の形状も限定されず、広口構造３２ａのように円弧状としても、広口構造３２ｂ、３２ｃのように直線状としてもよい。
組み立てやすさの観点から、側板２１ｂより遠方側の角部を円弧状に形成することが特に好ましい。
【００３１】
さらに、第１実施例の仕切り板３０は、切り欠き溝３１ａが側板２１ｂの遠方方向に向けて傾斜した構成を有している。傾斜した構成とすることにより、よりスムーズにフラップの挿入部２５ａを挿入することができる。また、組み立てる際、フラップの先端域Ｔａにかかる湾曲方向への負荷が低減され、フラップの折れ曲がり等の破損を防止することができる。なお、切り欠き溝３１ｂについても同様である。
ここで、傾斜した構成とは、図２（Ｃ）に図示するように、切り欠き溝３１ａと仕切り板３０の上端の交点を通る垂線に対する角度（θ）が、２〜８０°である構成をいう。
【００３２】
第１実施例の切り欠き溝３１ａは傾斜した構成であるが、図２（Ｂ）の広口構造３２ｂや３２ｃのように垂線Ｐに沿って形成されてもよい。すなわち、本発明の切り欠き溝の角度（θ）は、収容する物品の形状等に応じて適宜設計されるものであり、０〜８０°である。組み立ての容易性や仕切り板としての機能を発揮するという観点から、５〜４５°が好ましく、１０〜３０°が特に好ましい。
【００３３】
仕切り板３０の高さは、包装箱２０内に収容できる範囲であれば、特に限定するものではないが、仕切り板としての機能を勘案して、収容箱の高さの２０〜９９％が好ましく、５０〜９７％がさらに好ましい。
【００３４】
仕切り板３０に形成された開口部３４は、仕切り箱１０に物品を収容した際に、物品の印刷面と対向する領域に沿って切り落とした構成である。第１実施例の開口部３４は、仕切り板３０の下端からアーチ状に切り落とした構成であるが、印刷面と対向する領域に沿って切り抜いた穴構造でもよい。開口部の形状は特に限定されるものではなく、例えば、略円形、楕円形、半円形、略矩形等が挙げられる。容易に加工できるという観点から、下端からアーチ状又は略矩形状に切り落とした構成が好ましい。
開口部を設けることにより、物品の印刷面と仕切り板３０との擦れがなくなるため、印刷面の擦れ汚れを防止することができる。
【００３５】
包装箱に設置する仕切り板の枚数は、１又は２枚以上であり、仕切る領域の数に応じて適切な枚数を使用すればよい。
【００３６】
［物品］
本発明の物品は、本発明の仕切り箱に収容される物であり、その形状や大きさは、仕切り板３０及びフラップ２４ａ，２４ｂにより仕切られた各領域に収容できるように任意に設計される。
以下、物品の説明を実施例にて行うが、これに限定されるものではない。
【００３７】
図１０〜１５には、本発明の実施例の物品４０について６面図が図示されている。実施例の物品４０は、本体４１、キャップ４２からなり、本体４１の下部の表面及び裏面には印刷面４３ａ及び４３ｂを備え、キャップ４２には開蓋用の爪部４２ａを備えている。
【００３８】
物品の形状は、実施例の物品４０のように、上部の幅が下部の幅より小さく構成され、上部が下部より細い形状を有していることが好ましい。本発明の傾斜した切り欠き溝３１ａ、３１ｂを有する仕切り板３０を使用すると、仕切り板として機能するフラップ２４ａ、２４ｂの先端域Ｔａ、Ｔｂは、傾斜した状態で包装箱２０内に設置される。そのため、フラップ２４ａ、２４ｂの先端域Ｔａ、Ｔｂが収まるための空間が必要となる。物品の形状を上部が下部より細い形状とすることにより、複数の物品４０を近接して包装箱２０に収容しても、包装箱２０の上部において、物品４０の間に空間が形成され、フラップ２４ａ、２４ｂの先端域Ｔａ、Ｔｂを収めることができる。
【００３９】
また、フラップ２４ａ、２４ｂの各先端間の幅が、物品４０の下部の幅より小さくなるように設計し、物品４０が上部方向へ移動すると、物品４０の周囲面がフラップの先端に当接するような構成とすることが好ましい。なお、フラップの各先端間の幅は、仕切り板の切り欠き溝の角度（θ）や、フラップの先端域の長さ等を調整することにより設計することができる。
上記の構成により、物品の梱包中に仕切り箱が倒れる等のトラブルが生じた場合に、仕切り箱の外への物品の飛び出しを抑制するため、物品の破損等を防止することができる。
【００４０】
さらには、包装箱２０に物品４０を収容した際、物品４０の周囲面がフラップ２４ａ、２４ｂの先端と近接した位置にあり、物品４０が上部方向への移動を制限するような構成とすることが好ましい。
これによると、輸送中の物品の上下方向の揺れが低減され、物品の破損や、包装箱又は仕切り板との擦れを防止することができる。
【００４１】
本発明の物品の材質は、特に限定されず、例えば、ポリエチレンテレフタラート（ＰＥＴ）、ポリプロピレン（ＰＰ）、ポリエチレン（ＰＥ）等のプラスチック、陶器、ガラス、紙箱等が挙げられる。これらの材質のうち、ＰＥＴを使用することが好ましい。
ＰＥＴは、傷が付くと目立ち易く、また、段ボール等の包装箱や仕切り板と擦れるだけでも傷が付いてしまうという特徴がある。そのため、物品と仕切り板又は包装箱との擦れを防止するという本発明の効果がより顕著に発揮される。
【００４２】
［組み立て方法］
図３には、本発明の仕切り箱１０に物品４０が収容された状態が図示されている。本発明の仕切り箱１０の組み立て方法は、包装箱２０の側板２１及び底板２２を形成する工程、仕切り板３０及び物品４０を収容する工程、フラップ２４の挿入部２５を仕切り板３０の切り欠き溝３１に挿入する工程、蓋板２３で包装箱２０に蓋をする工程を備えている。
【００４３】
（第２実施例）
図１６〜１８は、本発明の第２実施例の仕切り箱１１０を説明する図である。仕切り箱１１０は、包装箱１２０及び仕切り板１３０を組み立てることにより構成される。
［包装箱］
図１６には、第２の実施例の包装箱１２０の展開図が図示されている。第２実施例の包装箱１２０の底板は、段ボール底アメリカンロック式の構造であり、蓋板１２３は、差し込み片１２６を備えた差し込み式の構造である（ＪＩＳ  ０２１５）。
【００４４】
フラップ１２４ａ及び１２４ｂには、仕切り板１３０の切り欠き溝１３１ａ及び１３１ｂと係合するためのスリット１２７ａ及び１２７ｂが設けられている。
仕切り板が傾斜した状態で物品を収容すると、物品で仕切り板を折り曲げてしまうという課題がある。しかし、仕切り板とフラップを係合することにより、仕切り板を垂直に固定することができるため、物品収容時の仕切り板の折れ曲がりを防止することができる。
【００４５】
スリット１２７ａ及び１２７ｂは、フラップの先端において、スリット幅が拡大した広口構造１２８ａ及び１２８ｂを有している。これにより、フラップの挿入部１２５ａ及び１２５ｂを仕切り板１３０の切り欠き溝１３１ａ及び１３１ｂに挿入しやすくなり、組み立てが容易になる。
広口構造１２８ａ及び１２８ｂの構造は、スリット幅がフラップ先端において拡大すれば、特に限定されないが、溝幅がフラップの先端に向かって徐々に拡大する構成が好ましい。フラップの先端に向かって溝幅が拡大するための形状としては、上記の仕切り板３０の切り欠き溝３１と同様、フラップ先端とスリットにより形成された角部の形状を円弧状や直線状に切り落として傾斜部を設ければよい。さらに、この角部は、両側とも傾斜部を有することが好ましい。
【００４６】
図１８に図示するように、フラップ１２４ａ及び１２４ｂの先端領域Ｔａ及びＴｂの長さは、フラップの先端の高さ位置が底板１２２付近に至るように設定されている。これにより、フラップが仕切り板として機能し、物品同士の接触による擦り傷の発生を抑制することができる。
【００４７】
［仕切り板］
図１７には、第２実施例の仕切り板１３０が図示されている。広口構造１３２ａは、側板１２１ｂより近辺側の角部１３３ａを直線状に切り落として溝幅を徐々に拡大した構造である。
また、仕切り板の底辺には、物品の印刷面に沿って略矩形状に切り落とした開口部１３４が形成されている。
【００４８】
（第３実施例）
図１９は、本発明の第３実施例の仕切り箱２１０を説明する図である。仕切り箱２１０は、包装箱２２０及び２枚の仕切り板２３０を組み立てることにより構成される。仕切り板を２枚使用することにより、包装箱２２０の内部空間を奥行き方向に３分割している。
【００４９】
第３実施例の包装箱２２０では、片側の略Ｌ字状のフラップが２つに分割され、フラップ２２４ｂ及び２２４ｃを形成している。そして、フラップ２２４ｂ及び２２４ｃは、２枚の仕切り板２３０にそれぞれ挿入される挿入部２２５ｂ及び２２５ｃを備えている。
フラップを２つに分割することにより、２枚の仕切り板２３０を別々に設置することができる。具体的には、例えば、仕切り板２３０の切り欠き溝２３１ｂにフラップ２２４ｂの挿入部２２５ｂを挿入して仕切り板２３０を設置した後に、２枚目の仕切り板２３０をフラップ２２４ｃにより設置し、最後にフラップ２２４ａの挿入部２２５ａ１及び２２５ａ２を、２枚の仕切り板２３０の切り欠き溝２３１ａに同時に挿入する。このように、フラップを複数に分割することにより、仕切り板を一枚ずつ設置することができるため、組み立て作業を簡便化することができる。
【産業上の利用可能性】
【００５０】
本発明の仕切り箱は、容易に組み立てることができるため、簡便な物品の梱包作業を提供することができる。
また、本発明の仕切り箱は、物品の破損や擦れ傷の発生を防止することができるため、ＰＥＴ容器等の傷が付きやすい物品を適切に輸送する方法を提供することができる。
【符号の説明】
【００５１】
１０，１１０，２１０  仕切り箱、２０，１２０，２２０  包装箱、２１ａ，２１ｂ，２１ｃ，２１ｄ，１２１ａ，１２１ｂ，１２１ｃ，１２１ｄ，２２１ａ  側板、２２ａ，２２ｂ，２２ｃ，２２ｄ，１２２ａ，１２２ｂ，１２２ｃ，１２２ｄ  底板、２３，１２３，２２３  蓋板、２４ａ，２４ｂ，１２４ａ，１２４ｂ，２２４ａ，２２４ｂ，２２４ｃ  フラップ、２５ａ，２５ｂ，１２５ａ，１２５ｂ，２２５ａ１，２２５ａ２，２２５ｂ，２２５ｃ  挿入部、Ｔａ，Ｔｂ  先端域、２６，１２６，２２６  差し込み片、１２７ａ，１２７ｂ  スリット、１２８ａ，１２８ｂ  広口構造（スリット）、３０，１３０，２３０  仕切り板、３１ａ，３１ｂ，１３１ａ，１３１ｂ，２３１ａ，２３１ｂ  切り欠き溝、３２ａ，３２ｂ，３２ｃ，１３２ａ  広口構造（切り欠き溝）、３３ａ，３３ｂ，１３３ａ，１３３ｂ  角部、３４，１３４  開口部、Ｐ  垂線、４０  物品、４１  本体、４２  キャップ、４２ａ  爪部、４３ａ，４３ｂ  印刷面、１００  仕切り箱、２００  包装箱、３００  仕切り板、３０１  縦仕切り板、３０２  横仕切り板
【図１】
0006537267.tif 000002
【図２】
0006537267.tif 000003
【図３】
0006537267.tif 000004
【図４】
0006537267.tif 000005
【図５】
0006537267.tif 000006
【図６】
0006537267.tif 000007
【図７】
0006537267.tif 000008
【図８】
0006537267.tif 000009
【図９】
0006537267.tif 000010
【図１０】
0006537267.tif 000011
【図１１】
0006537267.tif 000012
【図１２】
0006537267.tif 000013
【図１３】
0006537267.tif 000014
【図１４】
0006537267.tif 000015
【図１５】
0006537267.tif 000016
【図１６】
0006537267.tif 000017
【図１７】
0006537267.tif 000018
【図１８】
0006537267.tif 000019
【図１９】
0006537267.tif 000020
【図２０】
0006537267.tif 000021